(57)【要約】【課題】  搬送される冊子に押圧されて開かれるシャッタが冊子に不都合な作用を与えないようにする冊子処理装置を提供する。【解決手段】  冊子を搬送する搬送手段と、前記搬送手段により搬送される冊子の天面又は地面に押されて開くと共に、前記搬送手段により搬送される冊子の背より小口に近い側の天面又は地面に押される場合に、冊子の小口より背に近い側の天面又は地面に押される場合より小さい力で開かれるように構成されるシャッタ手段とを有する冊子処理装置。【選択図】  図５
2020100044.tif 000002
【特許請求の範囲】
【請求項１】
冊子を搬送する搬送手段と、
前記搬送手段により搬送される冊子の天面又は地面に押されて開くと共に、前記搬送手段により搬送される冊子の背より小口に近い側の天面又は地面に押される場合に、冊子の小口より背に近い側の天面又は地面に押される場合より小さい力で開かれるように構成されるシャッタ手段と、
を有することを特徴とする冊子処理装置。
【請求項２】
前記シャッタ手段は、前記搬送手段により搬送される冊子の小口より背に近い側の天面又は地面に押されて開く第１のシャッタ部と背より小口に近い側の天面又は地面に押されて前記第１のシャッタ部とは独立して開く第２のシャッタ部とを有することを特徴とする請求項１記載の冊子処理装置。
【請求項３】
前記第２のシャッタ部は前記第１のシャッタ部より小サイズであることを特徴とする請求項２に記載の冊子処理装置。
【請求項４】
前記第２のシャッタ部は前記第１のシャッタ部より重量が軽いことを特徴とする請求項２又は請求項３に記載の冊子処理装置。
【請求項５】
前記第２のシャッタ部は、前記搬送手段により搬送される冊子の搬送方向とは逆側に開くことを規制するための規制部を有すると共に，前記第１のシャッタ部が前記搬送手段により搬送される冊子の搬送方向とは逆側に開くことを前記規制部によりに規制するための連携部を有することを特徴とする請求項２乃至請求項４のいずれか１項に記載の冊子処理装置。
【請求項６】
シートに画像を形成する画像形成装置と、
前記画像形成装置により画像形成されたシートから冊子を形成する請求項１乃至請求項５のいずれか１項に記載の冊子処理装置と、
を有することを特徴とする画像形成システム。
【発明の詳細な説明】
【技術分野】
【０００１】
本発明は、画像形成装置により画像が形成されたシートから冊子を形成するための後処理を行う後処理装置等の冊子処理装置に関するものである。
【背景技術】
【０００２】
一般に、画像形成装置により画像が形成されたシートから冊子を形成するための冊子処理装置は、画像形成装置で画像が形成されたシートを集積して整合し、折り、綴じ、断裁等の処理を施して冊子を形成し、その後機外へ排出するように構成されている。
【０００３】
このような冊子処理装置として特許文献１に記載の構成においては、冊子を機外に排出する排出口付近に設けられたシャッタを開いた後、搬送ローラの搬送力により冊子を機外の積載部へ排出する。そして、この排出口付近に設けられたシャッタは、冊子が排出口付近まで搬送されたタイミングで装置の駆動手段により開かれるようになっている。
【０００４】
そのため、冊子がシャッタ付近に到達した時点でシャッタは既に開いた状態になっており、冊子とシャッタが接触することはない。
【０００５】
しかしながら、特許文献１に記載の構成のように装置の駆動手段によりシャッタが開くようにするためには、動作量に応じた大きさのカム機構を設けなくてはいけないため、排出部が複雑化、大形化してしまい、排出される冊子を取り出す際の冊子へのアクセス性も阻害されてしまうといった問題があった。
【０００６】
これに対して、特許文献２に記載の構成では、機外に排出される冊子自体が排出口付近に設けられたシャッタを開くようになっており、このような構成であれば、排出部の複雑化、大形化の問題を避けることができる。
【０００７】
また、特許文献２に記載の構成においては、シャッタに接触した冊子が機外に排出され易くなるようにするためのテーパがシャッタに設けられており、冊子にダメージを与えない様な構造になっている。
【先行技術文献】
【特許文献】
【０００８】
【特許文献１】特開２０１３−２１６４７７号公報
【特許文献２】特開平６−２５５８６１号公報
【発明の概要】
【発明が解決しようとする課題】
【０００９】
しかし、特許文献２に記載の構成では、冊子のシートがカールしているような場合に冊子で直接シャッタを開くことができないことがあり、また、冊子でシャッタを開いて排出できたとしてもシートが折れ曲がってしまうといった問題があった。
【００１０】
本発明は以上の事情に鑑みなされたもので、搬送される冊子に押圧されて開かれるシャッタが冊子に不都合な作用を与えないようにする冊子処理装置及び画像形成システムを提供しよとするものである。
【課題を解決するための手段】
【００１１】
上記目的を達成するための本発明は、冊子を搬送する搬送手段と、前記搬送手段により搬送される冊子の天面又は地面に押されて開くと共に、前記搬送手段により搬送される冊子の背より小口に近い側の天面又は地面に押される場合に、冊子の小口より背に近い側の天面又は地面に押される場合より小さい力で開かれるように構成されるシャッタ手段とを有する冊子処理装置とするものである。
【発明の効果】
【００１２】
本発明によれば、搬送される冊子に押圧されて開かれるシャッタが冊子に不都合な作用を与えないようにする冊子処理装置を提供できるものである。
【図面の簡単な説明】
【００１３】
【図１】本発明の実施形態に係る画像形成システムの構成図である。
【図２】本発明の実施形態に係る冊子の各部の呼称を説明する冊子の斜視図である。
【図３】本発明の実施形態に係る冊子が排出口付近に設けられたシャッタを押し開く動作を説明する説明図である。
【図４】本発明の実施形態に係るシャッタの構成を示す斜視図及び平面図である。
【図５】本発明の実施形態に係るシャッタの構成を示す斜視図である。
【図６】本発明の実施形態に係るシャッタの別の構成を示す斜視図である。
【発明を実施するための形態】
【００１４】
以下、図面を参照して本発明の好適な実施形態を詳細に説明する。尚、以下の実施形態に記載されている構成要素はあくまで例示であり、本発明の趣旨を逸脱しない範囲において本発明が適用される装置の構成や各種条件は適宜修正又は変更可能であり、以下の実施形態に限定されるものではない。
【００１５】
図１は、本発明の実施形態に係るシート後処理装置を備えた画像形成システムの構成を示し、図１の（Ａ）はその概略正面断面図、図１の（Ｂ）はシート後処理装置部分の正面図である。
【００１６】
図１の（Ａ）において、画像形成装置Ａと、画像形成装置Ａに接続されたシート後処理装置としての製本装置Ｂにより画像形成システムが構成されている。
【００１７】
画像形成装置Ａは、複写機機能とプリンタ機能を有する複合型複写機であり、画像形成部１と、原稿読取部２とで構成されている。また、製本装置Ｂは、画像形成装置Ａのシート排出口３に連設され、画像形成されたシートに製本処理を施すように構成されている。
【００１８】
以下、画像形成装置Ａ、製本装置Ｂの順にさらに詳細に説明する。
【００１９】
画像形成装置Ａは、シート供給部４より画像形成部１にシートを送り、画像形成部１でシートに画像を印刷した後、シート排出口３からシートを排出する。
【００２０】
シート供給部４では複数サイズのシートがシート供給カセット内に収納可能であり、指定されたシートを１枚ずつ分離して画像形成部１に給送する。画像形成部１は、感光ドラム５と、その周囲には、レーザースキャナー６と、転写ローラ７と定着器８が配置され、感光ドラム５上にレーザースキャナー６で静電潜像を形成し、これにトナーを付着させて転写ローラ７でシート上に画像を転写し、定着器８で加熱定着した後、シート排出口３から順次排出する。
【００２１】
循環経路１０は、シートの表面側が画像形成部１で印刷されて定着器８で定着されたシートを、スイッチバック経路９で表裏反転した後、再び画像形成部１に搬送してシートの裏面側に印刷する両面印刷のための経路である。このように両面印刷されたシートもシート排出口３から搬出される。
【００２２】
製本装置Ｂは、画像形成装置Ａとは別の独立した装置として構成され、そのハウジング１１には図１の（Ａ）に示される画像形成装置Ａのシート排出口３から排出されシートを
搬入するシート搬入口１２と、図１の（Ｂ）に示される冊子排出口１３が設けられている。
【００２３】
図２は、製本装置Ｂで製本される冊子の各部の呼称を説明する冊子の斜視図で、冊子３０において、３１を背、３２を天面、３３を小口、３４を地面と呼ぶ。
【００２４】
図１の（Ａ）において、シート搬入口１２に搬入された画像形成装置Ａにより印刷済みのシートは、整合保持部１４で冊子の中紙として必要なページ数を整合保持する。
【００２５】
一方、冊子の表紙になる印刷済みの表紙用シートがシート搬入口１２から搬送され、待機搬送路１６にて待機する。
【００２６】
整合保持部１４で整合保持されていた中紙は糊付け部１５で図２の冊子３０の背３１となる部分に糊付けされた後、待機搬送路１６で待機している表紙に張り合わされ、切断部１７で冊子３０を規定のサイズとするために小口３３側と天面３２側及び地面３４側を裁断する。
【００２７】
そして、規定のサイズに裁断されて製本が完了した冊子３０は、背３１を下側に向けて下方に搬送され、冊子回動部１８で排出用のベルトコンベア１９上に搬送されてくる冊子３０がそれぞれ同じ方向を向くように横倒しにセットし、ベルトコンベア１９により冊子排出口１３に向けて搬送する、
そして、ベルトコンベア１９により搬送された冊子は、冊子排出口１３付近に設けられたシャッタ２０を押し開くかたちで機外へ排出される。
【００２８】
図３は、ベルトコンベア１９により搬送される冊子が冊子排出口１３付近に設けられたシャッタ２０を押し開く動作を説明するもので、図３の（Ａ）はシャッタ２０の周辺を製本装置Ｂの内側から見た斜視図、図３の（Ｂ）及び（Ｃ）は図３の（Ａ）のシャッタ２０の周辺を上面から見た平面図である。
【００２９】
図３の（Ａ）、（Ｂ）において、冊子３０がベルトコンベア１９上に背３１側を製本装置Ｂの右側に、小口３３側を製本装置Ｂの左側に向けてセットされると、ベルトコンベア１９は冊子３０を冊子排出口１３に向けて搬送を開始する。その後、ベルトコンベア１９に搬送される冊子３０の天面３２（若しくは地面３４）がシャッタ２０と接触し、シャッタ２０の内面を押すかたちでシャッタを時計方向に回転させて開き、冊子３０を冊子排出口１３から排出する。
【００３０】
ここで、表紙に使用される用紙が薄い場合や、場所により印字率の異なる画像が印刷されている等により冊子の小口３３側がカールして表紙の角３５が開いた状態（冊子の背３１側は糊付けされているので小口３３側と違いカールして浮き上がることはない）でシャッタ２０を押し開こうとすると、カールした小口３３側端部がシャッタ２０の重量に押し勝ってシャッタを開くことができない場合がある。この状態で冊子３０を排出しようとすると、カールした表紙の角３５が押しつぶされて耳折れした状態になってシャッタに引っ掛かり冊子３０が排出できずに排出ジャムになってしまったり、図３の（Ｃ）に示されるように引っ掛かった部分に折れ目３６が入ったりする問題があった。
【００３１】
そこで本実施形態においては、この問題を解決するためにシャッタを以下のように構成している。
【００３２】
図４は、本実施形態によるシャッタ手段としてのシャッタの構成を示すもので、図４の（Ａ）はシャッタ周辺を製本装置Ｂの内側から見た斜視図、図４の（Ｂ）は図４の（Ａ）のシャッタ周辺を上面から見た平面図である。
【００３３】
図４において、本実施形態のシャッタの構成は、シャッタを大シャッタ部としての大シャッタ２１と大シャッタ２１よりサイズが小さい小シャッタ部としての小シャッタ２２の二枚に分割し、冊子３０の天面３２（若しくは地面３４）の背３１より小口３３に近い側が先に接触しはじめる場合は、その接触部が小シャッタ２２側を、回転軸Ｘを中心に時計方向に押し開いて冊子３０が排出されるようにする。
【００３４】
一方、冊子３０の天面３２（若しくは地面３４）の背３１より小口３３に近い側にではない部位は、大シャッタ２１側を、回転軸Ｘを中心に時計方向に押し開くように構成する。
【００３５】
小シャッタ２２は、大シャッタ２１と比べてサイズが小さい分シャッタ開動作の際の押し開き力を小さくすることができ、冊子３０としては図５に示されるように小口３３側の角３５がカールしているような場合に冊子３０の天面３２（若しくは地面３４）の背３１より小口３３に近い側が先に接触しはじめる場合であってもシャッタの押し開き力を小さくすることで冊子３０が耳折れしてしまったり、引っ掛かったりしてしまうことを防止できる。
【００３６】
なお、２１ａ、２２ａは、大シャッタ２１、小シャッタ２２が回転軸Ｘを中心に反時計方向に回転して開かないように規制する、大シャッタ２１、小シャッタ２２にそれぞれ設けられた規制部としての開き止め部である。この開き止め部を、図６に示されるように小シャッタ２２では廃止し、大シャッタ２１の開き止め部２１ａが小シャッタ２２の開き止めとしても作用するように連携部としてのオーバーラップ部２１ｂを設け、小シャッタ２２の開き止め部を廃止した分小シャッタ２２の重量を軽くするようにしても良い。
【００３７】
また、大シャッタ２１と小シャッタ２２を別材質或いは別形状（厚みを変えたり穴を開ける等）で構成することにより、小シャッタ２２のサイズを大シャッタ２１のサイズより小さくすることに加えて、或いは小シャッタ２２のサイズを大シャッタ２１のサイズより小さくすることなく、小シャッタ２２の重量を大シャッタ２１の重量より軽くなるように設定して、冊子３０の天面３２（若しくは地面３４）の背３１より小口３３に近い側が小シャッタ２２を押し開く際の開き力を小さくするようにしても良い。
【００３８】
以上説明したように、本実施形態によれば、搬送される冊子の小口より背に近い側の天面又は地面に押される場合に、冊子の小口より背に近い側の天面又は地面に押される場合より小さい力で開かれるように構成されるシャッタとすることにより、成果物である冊子がシャッタを押し開く際に冊子に傷や折れが発生することを防止でき、安価な構成で高品質の冊子を提供することが可能となる。
【符号の説明】
【００３９】
Ａ…画像形成装置
Ｂ…製本装置
１…画像形成部
３…シート排出口
１２…シート搬入口
１３…冊子排出口
１４…整合保持部
１５…糊付け部
１６…待機搬送路
１７…切断部
１８…冊子回動部
１９…ベルトコンベア
２０…シャッタ
２１…大シャッタ
２１ａ…開き止め部
２１ｂ…オーバーラップ部
２２…小シャッタ
２２ａ…開き止め部
３０…冊子
３１…背
３２…天面
３３…小口
３４…地面
３５…角
３６…折れ目
【図１】
2020100044.tif 000003
【図２】
2020100044.tif 000004
【図３】
2020100044.tif 000005
【図４】
2020100044.tif 000006
【図５】
2020100044.tif 000007
【図６】
2020100044.tif 000008